【手続補正書】
【提出日】平成25年10月18日(2013.10.18)
【手続補正１】
【補正対象書類名】特許請求の範囲
【補正対象項目名】全文
【補正方法】変更
【補正の内容】
【特許請求の範囲】
【請求項１】
遮光状態で撮像された、スジ状の固定パターンノイズを有する黒画像を取得する取得手段と、
前記取得手段により取得された前記黒画像の前記スジと直交する方向の交流成分に基づいて、前記黒画像の前記スジの強度を決定する決定手段と、
前記取得手段により取得された前記黒画像に対し、前記スジと平行な方向のランダムノイズを低減する第１のフィルタを適用する第１の低減手段と、
前記取得手段により取得された前記黒画像に対し、前記スジと平行な方向のランダムノイズと前記スジと直交する方向のランダムノイズを低減する第２のフィルタを適用する第２の低減手段と、
前記第１のフィルタが適用された前記黒画像と、前記第２のフィルタが適用された前記黒画像とを重み付け加算して出力用の黒画像を生成する出力手段と、を備え、
前記出力手段は、前記決定手段により決定された前記スジの強度が低いほど、前記第１のフィルタが適用された前記黒画像の重み付けが小さくなるように重み付け加算することを特徴とする画像処理装置。
【請求項２】
前記第２のフィルタは、対象となる画素に対し、当該対象となる画素と同一の前記スジと平行な方向の座標を有する所定数の画素の値と、当該対象となる画素と同一の前記スジと直交する方向の座標を有する所定数の画素の値とを用いるように構成されたフィルタであることを特徴とする請求項１に記載の画像処理装置。
【請求項３】
遮光状態で撮像された、スジ状の固定パターンノイズを有する黒画像を取得する取得手段と、
前記取得手段により取得された前記黒画像の前記スジと直交する方向の交流成分に基づいて、前記黒画像の前記スジの強度を決定する決定手段と、
前記取得手段により取得された前記黒画像に対し、前記スジと平行な方向のランダムノイズを低減する第１のフィルタを適用する低減手段と、
前記低減手段により前記第１のフィルタが適用された前記黒画像に対し、前記スジと直交する方向のランダムノイズを低減する第２のフィルタを適用して出力用の黒画像を生成する出力手段と、を備え、
前記出力手段は、前記決定手段により決定された前記スジの強度が低いほど、前記スジと直交する方向のランダムノイズが低減されるように前記第２のフィルタを制御することを特徴とする画像処理装置。
【請求項４】
前記第２のフィルタは、対象となる画素に対し、当該対象となる画素と同一の前記スジと直交する方向の座標を有する所定数の画素の値を用いるように構成されたフィルタであることを特徴とする請求項３に記載の画像処理装置。
【請求項５】
遮光状態で撮像された、スジ状の固定パターンノイズを有する黒画像を取得する取得手段と、
前記取得手段により取得された前記黒画像について、当該黒画像の直流成分を除去する除去手段と、
前記除去手段により直流成分が除去された前記黒画像の前記スジと直交する方向の交流成分に基づいて、前記黒画像の前記スジの強度を決定する決定手段と、
前記除去手段により直流成分が除去された前記黒画像に対し、前記スジと平行な方向のランダムノイズを低減する第１のフィルタを適用する低減手段と、
前記低減手段により前記第１のフィルタが適用された、前記直流成分が除去された黒画像に対し前記スジの強度を乗算することにより出力用の黒画像を生成する出力手段と、を備えることを特徴とする画像処理装置。
【請求項６】
前記第１のフィルタは、対象となる画素に対し、当該対象となる画素と同一の前記スジと平行な方向の座標を有する所定数の画素の値を用いるように構成されたフィルタであることを特徴とする請求項１乃至５のいずれか１項に記載の画像処理装置。
【請求項７】
前記決定手段は、前記取得手段により取得された前記黒画像の各画素の前記スジと直交する方向の交流成分に基づいて、前記黒画像の各画素の前記スジの強度を決定し、
前記出力手段は、前記出力用の黒画像の各画素の生成において該各画素の前記スジの強度を用いるることを特徴とする請求項１乃至６のいずれか１項に記載の画像処理装置。
【請求項８】
取得手段が、遮光状態で撮像された、スジ状の固定パターンノイズを有する黒画像を取得する取得工程と、
決定手段が、前記取得工程において取得された前記黒画像の前記スジと直交する方向の交流成分に基づいて、前記黒画像の前記スジの強度を決定する決定工程と、
第１の低減手段が、前記取得工程において取得された黒画像に対し、前記スジと平行な方向のランダムノイズを低減する第１のフィルタを適用する第１の低減工程と、
第２の低減手段が、前記取得工程において取得された前記黒画像に対し、前記スジと平行な方向のランダムノイズと前記スジと直交する方向のランダムノイズを低減する第２のフィルタを適用する第２の低減工程と、
出力手段が、前記第１のフィルタが適用された前記黒画像と、前記第２のフィルタが適用された前記黒画像とを重み付け加算して出力用の黒画像を生成する出力工程と、を備え、
前記出力工程において前記出力手段は、前記決定工程において決定された前記スジの強度が低いほど、前記第１のフィルタが適用された前記黒画像の重み付けが小さくなるように重み付け加算することを特徴とする画像処理装置の制御方法。
【請求項９】
取得手段が、遮光状態で撮像された、スジ状の固定パターンノイズを有する黒画像を取得する取得工程と、
決定手段が、前記取得工程において取得された前記黒画像の前記スジと直交する方向の交流成分に基づいて、前記黒画像の前記スジの強度を決定する決定工程と、
低減手段が、前記取得工程において取得された前記黒画像に対し、前記スジと平行な方向のランダムノイズを低減する第１のフィルタを適用する低減工程と、
出力手段が、前記低減工程において前記第１のフィルタが適用された前記黒画像に対し、前記スジと直交する方向のランダムノイズを低減する第２のフィルタを適用して出力用の黒画像を生成する出力工程と、を備え、
前記出力工程において前記出力手段は、前記決定工程において決定された前記スジの強度が低いほど、前記スジと直交する方向のランダムノイズが低減されるように前記第２のフィルタを制御することを特徴とする画像処理装置の制御方法。
【請求項１０】
取得手段が、遮光状態で撮像された、スジ状の固定パターンノイズを有する黒画像を取得する取得工程と、
除去手段が、前記取得工程において取得された前記黒画像について、当該黒画像の直流成分を除去する除去工程と、
決定手段が、前記除去工程において直流成分が除去された前記黒画像の前記スジと直交する方向の交流成分に基づいて、前記黒画像の前記スジの強度を決定する決定工程と、
低減手段が、前記除去工程において直流成分が除去された前記黒画像に対し、前記スジと平行な方向のランダムノイズを低減する第１のフィルタを適用する低減工程と、
出力手段が、前記低減工程において前記第１のフィルタが適用された、前記直流成分が除去された黒画像に対し前記スジの強度を乗算することにより出力用の黒画像を生成する出力工程と、を備えることを特徴とする画像処理装置の制御方法。
【請求項１１】
コンピュータに、請求項８乃至１０のいずれか１項に記載の画像処理装置の制御方法の各工程を実行させるためのプログラム。
【手続補正２】
【補正対象書類名】明細書
【補正対象項目名】発明の名称
【補正方法】変更
【補正の内容】
【発明の名称】画像処理装置、制御方法、及びプログラム
【手続補正３】
【補正対象書類名】明細書
【補正対象項目名】０００８
【補正方法】変更
【補正の内容】
【０００８】
前述の目的を達成するために、本発明の画像処理装置は、以下の構成を備える。
遮光状態で撮像された、スジ状の固定パターンノイズを有する黒画像を取得する取得手段と、取得手段により取得された黒画像のスジと直交する方向の交流成分に基づいて、黒画像のスジの強度を決定する決定手段と、取得手段により取得された黒画像に対し、スジと平行な方向のランダムノイズを低減する第１のフィルタを適用する第１の低減手段と、取得手段により取得された黒画像に対し、スジと平行な方向のランダムノイズとスジと直交する方向のランダムノイズを低減する第２のフィルタを適用する第２の低減手段と、第１のフィルタが適用された黒画像と、第２のフィルタが適用された黒画像とを重み付け加算して出力用の黒画像を生成する出力手段と、を備え、出力手段は、決定手段により決定されたスジの強度が低いほど、第１のフィルタが適用された黒画像の重み付けが小さくなるように重み付け加算することを特徴とする。